(57)【特許請求の範囲】
【請求項１】
トラップ排水路の曲折部へ向けてサイホン作用終了後に洗浄水を噴射するジェット孔を有するジェット部を備えたサイホンジェット式水洗便器において、
サイホン作用終了後に前記トラップ排水路の入口底部に残留した汚水である残留汚水と、前記ジェット部から噴射された洗浄水の内で、前記トラップ排水路に衝突した後に前記トラップ排水路の入口底部に返ってきた洗浄水である返り水とを合わせた溜り水の水位を、前記ジェット孔の位置よりも低くする溜り水水位低下手段を設けることを特徴とするサイホンジェット式便器。
【請求項２】
前記溜り水水位低下手段が、トラップ部の外部に前記溜り水を排出する溜り水排出部であることを特徴とする請求項１記載のサイホンジェット式便器。
【請求項３】
前記溜り水排出部が、前記トラップ排水路に連通した溜り水排出穴と、前記溜り水排出穴と前記トラップ排水路の下降管に連通した溜り水排水路と、前記溜り水の排水を調節する溜り水排出用弁とを有することを特徴とする請求項２記載のサイホンジェット式便器。
【請求項４】
前記溜り水排出部が、前記トラップ排水路に連通した溜り水排出穴と、前記溜り水排出穴と外部排水路に連通した溜り水排水路と、前記溜り水の排水を調節する溜り水排出用弁とを有することを特徴とする請求項２記載のサイホンジェット式便器。
【請求項５】
前記溜り水排出部が、前記溜り水を排水する溜り水排出用ポンプを有することを特徴とする請求項２から４のいずれか１項記載のサイホンジェット式便器。
【請求項６】
トラップ排水路に洗浄水を噴射するジェット孔と、前記ジェット孔の上流側に連通する流路であるジェット流路と、を有するジェット部を備えたサイホンジェット式水洗便器において、
前記ジェット部には、サイホン作用終了後に前記トラップ排水路の入口底部に残留した汚水である残留汚水と、前記ジェット部から噴射された洗浄水の内で、前記トラップ排水路に衝突した後に前記トラップ排水路の入口底部に返ってきた洗浄水である返り水とを合わせた溜り水を巻き込む巻き込み穴と、前記巻き込み穴と前記ジェット流路とを連通する巻き込み路とを有する巻き込み部を設けたことを特徴とするサイホンジェット式便器。
【請求項７】
前記巻き込み部の近傍に、前記溜り水の巻き込みを促進させる巻き込み促進部を設けたことを特徴とする請求項６記載のサイホンジェット式便器。
【請求項８】
トラップ排水路の上昇管に向けて、洗浄水を噴射するジェット孔を有するジェット部を備えたサイホンジェット式水洗便器において、
前記ジェット部から噴射された洗浄水の内で、前記トラップ排水路に衝突した後に前記トラップ排水路の入口底部に返ってくる返り水を前記トラップ排水路の上昇部の下半部へ誘導するガイドを設けることを特徴とするサイホンジェット式便器。
【請求項９】
前記ガイドが、前記トラップ排水路の内壁に設けた螺旋状ガイドであることを特徴とする請求項８記載のサイホンジェット式便器。
【発明の詳細な説明】
【０００１】
【発明の属する技術分野】
本発明は、サイホンジェット式水洗便器のジェット部およびトラップ排水路の改良に関する。
【０００２】
【従来の技術】
図４は従来のサイホンジェット式便器の縦断面図である。
従来のサイホンジェット式便器１００のジェット部１０１は、ジェット孔１０２から洗浄水をトラップ排水路１０３に噴射してトラップ排水路１０３にサイホン作用を発生させる。そして、サイホン作用終了後には、トラップ排水路１０３の入口底部に残留した浮遊汚物などを含む汚水をジェット孔１０２から噴射させた洗浄水で巻き込んでトラップ排水路１０３に排出させる。
【０００３】
【発明が解決しようとする課題】
しかし、サイホン作用終了後に、トラップ排水路の入口底部に残留した浮遊汚物などを含む汚水をジェット孔から噴射させた流量の多い洗浄水で巻き込むので、巻き込み時に大きな騒音を発生させていた。また、巻き込み時にはジェット孔から噴射させた洗浄水は乱れるので、乱れた洗浄水がトラップ排水路への衝突時に大きな騒音を発生させていた。
本発明は、このような課題を解決するためになされたもので、その目的はサイホン作用終了後にトラップ排水路の入口底部に残留した浮遊汚物などを含む汚水をジェット孔から噴射させた流量の多い洗浄水で巻き込むことをなくすことによって、巻き込み時および衝突時の騒音を低減させる便器を提供するものである。
【０００４】
【課題を解決するための手段およびその作用・効果】
上記目的を達成するためになされた請求項１記載のサイホンジェット式水洗便器は、トラップ排水路の曲折部へ向けてサイホン作用終了後に洗浄水を噴射するジェット孔を有するジェット部を備えたサイホンジェット式水洗便器において、サイホン作用終了後に前記トラップ排水路の入口底部に残留した汚水である残留汚水と、前記ジェット部から噴射された洗浄水の内で、前記トラップ排水路に衝突した後に前記トラップ排水路の入口底部に返ってきた洗浄水である返り水とを合わせた溜り水の水位を、前記ジェット孔の位置よりも低くする溜り水水位低下手段を設けることを特徴とする。
【０００５】
したがって、サイホン作用終了後に、溜り水の水位をジェット孔の位置よりも低くすることができ、ジェット孔から噴射された洗浄水が溜り水を巻き込むことがないので、巻き込み時の騒音がない。また、ジェット孔から噴射された洗浄水が乱れないために、トラップ排水路への衝突時の騒音も低減することができる。
【０００６】
また、請求項２記載のサイホンジェット式水洗便器は、請求項１記載のサイホンジェット式水洗便器において、前記溜り水水位低下手段が、外部に前記溜り水を排出する溜り水排出部であることを特徴とする。
したがって、溜り水を外部に排出することによって、溜り水の水位をジェット孔の位置よりも低くすることができ、ジェット孔から噴射された洗浄水が溜り水を巻き込むことがないので、巻き込み時の騒音がない。また、ジェット孔から噴射された洗浄水が乱れないために、トラップ排水路への衝突時の騒音も低減することができる。
【０００７】
また、請求項３記載のサイホンジェット式水洗便器は、請求項２記載のサイホンジェット式水洗便器において、前記溜り水排出部が、前記トラップ排水路に連通した溜り水排出穴と、前記溜り水排出穴と前記トラップ排水路の下降部に連通した溜り水排水路と、前記溜り水の排水を調節する溜り水排出用弁とを有することを特徴とする。
したがって、操作開始時間を制御した溜り水排出用弁を用いることで、サイホン作用終了後に溜り水を溜り水排水路を通じてトラップ排水路の下降部に排出することができ、ジェット孔から噴射された洗浄水が溜り水を巻き込むことがないので、巻き込み時の騒音がない。また、ジェット孔から噴射された洗浄水が乱れないために、トラップ排水路への衝突時の騒音も低減することができる。また、溜り水をトラップ排水路の下降部に排出するため、大便器を設置する外部排水路条件を考慮する必要がないので、設置が容易である。
【０００８】
また、請求項４記載のサイホンジェット式水洗便器は、請求項２記載のサイホンジェット式水洗便器において、前記溜り水排出部が、前記トラップ排水路に連通した溜り水排出穴と、前記溜り水排出穴と外部排水路に連通した溜り水排水路と、前記溜り水の排水を調節する溜り水排出用弁とを有することを特徴とする。したがって、操作開始時間を制御した溜り水排出用弁を用いることで、サイホン作用終了後に溜り水を溜り水排水路を通じて外部排出路に排出することができ、ジェット孔から噴射された洗浄水が溜り水を巻き込むことがないので、巻き込み時の騒音がない。また、ジェット孔から噴射された洗浄水が乱れないために、トラップ排水路への衝突時の騒音も低減することができる。また、溜り水を外部排出路に排出するため、経済的負担が小さくて設けることができる。
【０００９】
また、請求項５記載のサイホンジェット式水洗便器は、請求項２から４のいずれか１項記載のサイホンジェット式水洗便器において、前記溜り水排出部が、前記溜り水を排水する溜り水排出用ポンプを有することを特徴とする。
したがって、溜り水を溜り水排出用ポンプによって短時間で排出することができ、ジェット孔から噴射された洗浄水が溜り水を巻き込むことがないので、巻き込み時の騒音がない。また、ジェット孔から噴射された洗浄水が乱れないために、トラップ排水路への衝突時の騒音も低減することができる。
【００１０】
また、請求項６記載のサイホンジェット式水洗便器は、トラップ排水路に洗浄水を噴射するジェット孔と、前記ジェット孔の上流側に連通する流路であるジェット流路と、を有するジェット部を備えたサイホンジェット式水洗便器において、前記ジェット部には、サイホン作用終了後に前記トラップ排水路の入口底部に残留した汚水である残留汚水と、前記ジェット部から噴射された洗浄水の内で、前記トラップ排水路に衝突した後に前記トラップ排水路の入口底部に返ってきた洗浄水である返り水とを合わせた溜り水を巻き込む巻き込み穴と、前記巻き込み穴と前記ジェット流路とを連通する巻き込み路とを有する巻き込み部を設けたことを特徴とする。
【００１１】
したがって、トラップ排水路の溜り水は、巻き込み穴および巻き込み路を通じてジェット流路に運ばれて、ジェット流路を流れる洗浄水に巻き込まれることによって、トラップ排水路へ排出されるので、ジェット孔出口における溜り水の巻き込みをなくすことができ、巻き込み時の騒音がない。また、ジェット孔から噴射された洗浄水が乱れないために、トラップ排水路への衝突時の騒音も低減することができる。
【００１２】
また、請求項７記載のサイホンジェット式水洗便器は、請求項６記載のサイホンジェット式水洗便器において、前記巻き込み部の近傍に、前記溜り水の巻き込みを促進させる巻き込み促進部を設けたことを特徴とする。
したがって、巻き込み促進部によって、溜り水の巻き込みを促進することができるので、効率よく溜り水を排出することができる。
【００１３】
また、請求項８記載のサイホンジェット式水洗便器は、トラップ排水路の上昇部に向けて、洗浄水を噴射するジェット孔を有するジェット部を備えたサイホンジェット式水洗便器において、前記ジェット部から噴射された洗浄水の内で、前記トラップ排水路に衝突した後に前記トラップ排水路の入口底部に返ってくる返り水を前記トラップ排水路の上昇部の下半部へ誘導するガイドを設けることを特徴とする。
【００１４】
したがって、返り水をトラップ排水路の上昇部の下半部へ誘導することができ、ジェット孔から噴射された洗浄水が返り水を直接的に巻き込むことがないので、巻き込み時の騒音を低減することができる。また、ジェット孔から噴射された洗浄水がの乱れを低減するために、トラップ排水路への衝突時の騒音も低減することができる。
【００１５】
また、請求項９記載のサイホンジェット式水洗便器は、請求項８記載のサイホンジェット式水洗便器において、前記ガイドが、前記トラップ排水路の内壁に設けた螺旋状ガイドであることを特徴とする。
したがって、返り水をトラップ排水路の内壁に設けた螺旋状ガイドにそって、トラップ排水路の上昇部の下半部へ誘導することができ、ジェット孔から噴射された洗浄水が返り水を直接的に巻き込むことがないので、巻き込み時の騒音を低減することができる。また、ジェット孔から噴射された洗浄水の乱れを低減するために、トラップ排水路への衝突時の騒音も低減することができる。
【００１６】
【発明の実施の形態】
以下、図面にそって本発明に係る実施例を説明する。
【００１７】
図１は、本発明のサイホンジェット式水洗便器の一実施形態を示す縦断面図である。
図１において、サイホンジェット式便器１は隔壁２で区画されたボウル部３とトラップ排水路４を有する。トラップ排水路４は、ボウル部３の後壁下部に開設した流入口５と、サイホンジェット式便器１の略中央部底面に開設した流出口６とを略逆Ｕ字状に屈曲して連結しており、トラップ排水路４の曲折部４ａより下流側の下降部４ｂを略直管形状に形成している。そして、その下端部である流出口６の近傍に管壁を内方へ縮径した絞り部４ｃを設ける。
【００１８】
ボウル部３の上端周縁のリム部７に、リム通水路８をボウル部３の内方に突出するように環状に形成し、このリム通水路８の底面にリム射水孔９を適宜間隔毎にボウル部３に対して斜めに開設する。
【００１９】
ボウル部３の底部にトラップ排水路４の流入口５を指向するようジェット部１１の形状に対応する大きさを有する凹部１０を開口して形成する。この凹部１０内にトラップ排水路の曲折部４ａを指向するジェット部１１をジェット孔１２がボウル面と略面一となるよう埋設して水密に取着する。
【００２０】
ボウル部３の底部に開口した溜り水排水路入口部２６を形成して、この溜り水排水路入口部２６に溜り水排水路２７を接続し、溜り水排水路２７の他端を下降部４ｂに開口して設けた溜り水排水路出口部２３に接続する。溜り水排水路入口部２６の近傍に溜り水排出用弁２４を設ける。溜り水排水路２７に溜り水排出用ポンプ２５を設ける。
【００２１】
サイホンジェット式便器１の後方上部にボックス１３を設け、このボックス１３内に洗浄給水装置１４を設ける。
【００２２】
洗浄給水装置１４は、制御装置１５と、この制御装置１５に洗浄起動入力を与える操作部１６と、リム用弁１７、ジェット用弁１８、および大気開放弁１９を備えている。給水管２０は分岐してリム用弁１７およびジェット用弁１８の一端に接続し、リム用弁１７の他端はリム給水管を介してリム通水路８へ接続する。ジェット用弁１８の他端は大気開放弁１９およびジェット用給水管２２を介してジェット部１１のジェット孔１２へ接続する。
【００２３】
制御装置１５は洗浄水の給水順序および給水時間および溜り水排水および排水時間に関するデータを予め記憶されているメモリ（図示せず）を備えており、洗浄起動入力信号が与えられると、このデータに基いてリム用弁１７およびジェット用弁１８および溜り水排出用弁２４および溜り水排出用ポンプ２５を駆動するよう構成している。
【００２４】
操作部１６からの洗浄起動入力信号が与えられると制御装置１５はまずリム用弁１７を開弁状態に駆動する。これにより洗浄水が給水管２０を介してリム通水路８からボウル部３へ供給され、ボウル部３の壁面を洗浄する。
【００２５】
所定時間経過後、リム用弁１７を閉弁状態に駆動するとともに、ジェット用弁１８を開弁状態に駆動する。これにより洗浄水が大気開放弁１９およびジェット用給水管２２を介してジェット部１１のジェット孔１２からトラップ排水路４の曲折部４ａへ向けて噴射される。この洗浄水は曲折部４ａを超えて下降部４ｂへ流れ、さらに流出口６から排出されるが、この際トラップ排水路４に生じる負圧によってトラップ排水路４内にサイホン状態が発生し、ボウル部３内の汚物・汚水の排出が開始される。このサイホン状態は封水面が隔壁２の下端２ａより低下しトラップ排水路４内へ空気が流入した時点で停止する。
【００２６】
サイホン状態が停止した時点で、ジェット用弁１８を閉弁状態に駆動するとともに、溜り水排出用弁２４を開弁状態に駆動し、溜り水排出用ポンプ２５を駆動する。これにより、ボウル部３の底部に残留した溜り水を溜り水排水路２７を介して下降部４ｂに排出する。
【００２７】
溜り水の排出が完了した時点で、溜り水排出用弁２４を閉弁状態に駆動および溜り水排出用ポンプ２５を停止するとともに、リム用弁１７を開弁状態に駆動しボウル部３への封水給水を行なう。
【００２８】
この封水給水が完了した時点で、リム用弁１７を閉弁状態に駆動し一連の洗浄動作を終了する。
なお、本実施例では溜り水排水路が下降管に接続したものについて説明したが、溜り水排水路が外部排水路に接続したものについても基本的な構成は同様であるので割愛する。
【００２９】
図２は、本発明の巻き込み部を設けたジェット部の一実施形態を示す縦断面図である。
図２において、ボウル部３の底部にジェット部１１の形状に対応する大きさを有する凹部１０を開口して形成し、この凹部１０内にジェット部１１を水密に取着する。
【００３０】
ジェット部２３は、洗浄水を噴射するジェット孔１２と、ジェット孔１２の上流側に連通する流路であるジェット流路３１を備えるとともに、サイホン作用終了後にボウル３の底部に残留した溜り水を巻き込む巻き込み穴３２と、巻き込み穴３２とジェット流路３１とを連通する巻き込み路３３とを有する巻き込み部３４を備える。また、巻き込み部３４の近傍に溜り水の巻き込みを促進させる巻き込み促進部３５を設ける。
【００３１】
サイホン作用終了後に、ジェット用弁１８を開弁状態に駆動して、洗浄水を噴射する。洗浄水はジェット流路３１を介して、ジェット孔１２から噴射されるとともに、ボウル部３の底部に残留した溜り水は、ボウル部３の底部に連通した巻き込み穴３２から巻き込み路３３に介しジェット流路３１に送給され、ジェット流路３１を流れる洗浄水によって巻き込まれ、トラップ排水路４に排出される。その際に、巻き込み促進部３５を設けて、溜り水が巻き込み穴３２からジェット流路３１へ送給をスムーズにする。
【００３２】
図３は、本発明の螺旋状ガイドを設けたトラップ排水路の一実施形態を示す縦断面図である。
図３において、トラップ排水路４の上昇部４ｄの内壁に巾および厚みともに数ｍｍ程度のガイドである螺旋状ガイド４１を螺旋状に設ける。
【００３３】
サイホン作用終了後に、ジェット部１１から洗浄水を噴射して、ボウル部３の底部に残留した溜り水を巻き込んで排出する。その際に、噴射された洗浄水のうちでトラップ排水路４に衝突した後に流入口５の底部に返ってくる返り水は、螺旋状ガイド４１により誘導される。螺旋状ガイド４１の下端部４２をトラップ排水路４の下半部４２に設けることによって、返り水を下半部４２に誘導する。
【図面の簡単な説明】
【図１】  図１は、本発明のサイホンジェット式水洗便器の一実施形態を示す縦断面図である。
【図２】  図２は、本発明の巻き込み部を設けたジェット部の一実施形態を示す縦断面図である。
【図３】  図３は、本発明の螺旋状ガイドを設けたトラップ排水路の一実施形態を示す縦断面図である。
【図４】  図４は従来のサイホンジェット式便器の縦断面図である。
【符号の説明】
１…サイホンジェット式便器
２…隔壁
２ａ…下端
３…ボウル部
４…トラップ排水路
４ａ…曲折部
４ｂ…下降部
４ｃ…絞り部
４ｄ…上昇部
５…流入口
６…流出口
７…リム部
８…リム通水路
９…リム射水孔
１０…凹部
１１…ジェット部
１２…ジェット孔
１３…ボックス
１４…洗浄給水装置
１５…制御装置
１６…操作部
１７…リム用弁
１８…ジェット用弁
１９…大気開放弁
２０…給水管
２１…リム給水管
２２…ジェット給水管
２３…溜り水排水路出口部
２４…溜り水排出用弁
２５…溜り水排出用ポンプ
２６…溜り水排水路入口部
２７…溜り水排水路
３１…ジェット流路
３２…巻き込み穴
３３…巻き込み路
３４…巻き込部
４１…螺旋状ガイド
４２…下端部
４３…下半部
１００…サイホンジェット式便器
１０１…ジェット部
１０２…ジェット孔
１０３…トラップ排水路
【図１】
0004352443.tif 000002
【図２】
0004352443.tif 000003
【図３】
0004352443.tif 000004
【図４】
0004352443.tif 000005